(57)【要約】【課題】画素クロック周波数の異なる２系統の映像信号のフレーム同期を得ようとすると、クロック間の位相によりフレーム毎にフレーム同期が１クロック幅ズレることがある。【解決手段】マスタとなる映像信号のフレーム同期信号でスレーブとなる映像信号のフレーム同期信号を１フレーム毎にリセットする際、スレーブとなる映像信号のフレーム同期信号を基準としたマスク信号を生成し、マスタとなる映像信号からのリセット信号を生成したマスク信号によって無効にすることで、マスターとなる映像信号とスレーブとなる映像信号のフレーム同期が取れている場合にはスレーブとなるフレーム同期信号にリセットがかからず、よってフレーム毎のズレを生じることはない。【選択図】  図１
2004304217.tif 000002
【特許請求の範囲】
【請求項１】
クロック周波数の異なる２つ以上の映像信号をあつかう系において、１つの映像信号をマスターとしその他の映像信号をスレーブとして、マスターとなる映像信号系のフレーム同期信号あるいはそのフレーム同期信号から生成したリセット信号でスレーブとなる映像信号のフレーム同期信号をリセットすることによって２つの映像信号のフレーム同期をとり、スレーブとなる映像信号のフレーム同期信号から生成したマスク信号でマスターとなる映像信号のフレーム同期信号あるいはそのフレーム同期信号から生成したリセット信号をゲートして、スレーブとなる映像信号がマスターとなる映像信号にフレーム同期している場合には、スレーブとなる映像信号のフレーム同期のリセットを止める２系統映像信号の同期方法。
【請求項２】
クロック周波数の異なる２つ以上の映像信号は、２７ＭＨｚあるいはその分周あるいはその倍数のクロック周波数である映像信号と７４．２５ＭＨｚあるいはその分周あるいはその倍数のクロック周波数である映像信号である請求項１記載の２系統映像信号の同期方法。
【請求項３】
クロック周波数の異なる２つ以上の映像信号は、２７ＭＨｚあるいはその分周あるいはその倍数のクロック周波数である映像信号と７４．１７ＭＨｚあるいはその分周あるいはその倍数のクロック周波数である映像信号である請求項１記載の２系統映像信号の同期方法。
【請求項４】
スレーブとなる映像信号のフレーム同期信号から生成したマスク信号は、スレーブとなる映像信号のフレーム同期信号をリセットするタイミングに対してスレーブとなる映像信号のクロックで前に１クロック、後ろに１クロックの幅をもつ信号である請求項１、２、３記載の２系統映像信号の同期方法。
【請求項５】
クロック周波数の異なる２つ以上の映像信号をあつかう系において、１つの映像信号をマスターとしその他の映像信号をスレーブとして、マスターとなる映像信号系のフレーム同期信号から生成したリセット信号を入力とし、スレーブとなる映像信号のフレーム同期信号を発生する基準となるカウンタと、そのカウント値からマスク信号を発生するマスク信号発生器と、前記マスク信号によって前記リセット信号をゲートするゲート器と、前記ゲート器によってゲートされた前記リセット信号によって前記カウンタのカウント値をリセットする２系統映像信号の同期方法。
【請求項６】
クロック周波数の異なる２つ以上の映像信号は、２７ＭＨｚあるいはその分周あるいはその倍数のクロック周波数である映像信号と７４．２５ＭＨｚあるいはその分周あるいはその倍数のクロック周波数である映像信号である請求項５記載の２系統映像信号の同期方法。
【請求項７】
クロック周波数の異なる２つ以上の映像信号は、２７ＭＨｚあるいはその分周あるいはその倍数のクロック周波数である映像信号と７４．１７ＭＨｚあるいはその分周あるいはその倍数のクロック周波数である映像信号である請求項５記載の２系統映像信号の同期方法。
【請求項８】
スレーブとなる映像信号のフレーム同期信号を発生する基準となるカウンタは、スレーブとなる映像信号のクロックをカウントするカウンタである請求項５、６、７記載の２系統映像信号の同期方法。
【請求項９】
マスク信号を発生するマスク信号発生器から発生したマスク信号は、入力されるリセット信号に対して前に１クロック、後ろに１クロックの幅をもつ信号である請求項５、６、７、８記載の２系統映像信号の同期方法。
【発明の詳細な説明】
【０００１】
【発明の属する技術分野】
本発明は、クロック周波数の異なる２つ以上の映像信号をあつかう系において、１つの映像信号をマスターとしその他の映像信号をスレーブとして、マスターとなる映像信号系のフレーム同期信号から生成したリセット信号でスレーブとなる映像信号のフレーム同期信号をリセットすることによって２つの映像信号のフレーム同期をとる、２系統映像信号の同期方法に関するものである。
【０００２】
【従来の技術】
映像信号を扱う場合、７４．２５ＭＨｚを画素周波数とする７４ＭＨｚ系映像信号と２７ＭＨｚあるいは１３．５ＭＨｚを画素周波数とする２７ＭＨｚ系映像信号からなる２つの映像信号をフレーム同期して扱う必要が生じる場合がある。
例えば、ＭＰＥＧ２（ＭＰ＠ＨＬ）のデコード処理をし映像信号として７４．２５ＭＨｚの画素周波数のまま表示系へ出力すると同時に、同じ映像信号をＮＴＳＣ相当の解像度にダウンコンバージョンして１３．５ＭＨｚでビデオレコーダなどＮＴＳＣ信号の記録装置に出力するような場合である。あるいは、２系統の映像信号を１つの映像信号として表示しようとする場合にも（例えば特許文献１参照。）２系統映像信号の同期は必要である。あるいは、２系統の映像信号の切り替えを映像の乱れなく行うためにそれら２系統の映像信号の同期をとる方法（例えば特許文献２参照。）も考えられている。
【０００３】
このような場合、７４．２５ＭＨｚ系の映像信号と１３．５ＭＨｚ系の映像信号のフレーム周波数を同期させることなく、それぞれに独立したフレーム周波数で処理した場合、少なくとも１３．５ＭＨｚ系の映像信号処理にフレーム同期させるためのフレームメモリが必要となる。例えば、フレームメモリを用いて２系統の映像信号の同期をとる方法（例えば特許文献３参照。）が考えられている。
【０００４】
フレームメモリの使用を回避するには７４．２５ＭＨｚ系の映像信号と１３．５ＭＨｚ系の映像信号のフレーム周波数を同期させればよいが、７４．２５ＭＨｚ系の映像信号のフレーム周波数は６０／２Ｈｚであり、１３．５ＭＨｚ系の映像信号のフレーム周波数は５９．９４／２Ｈｚと異なる。そこで両映像信号のフレーム周波数を５９．９４／２ＭＨｚに統一し７４．２５ＭＨｚ系の映像信号の画素周波数を７４．１７ＭＨｚとすることでフレーム周波数は同じにすることができる。ここで、７４．１７ＭＨｚは、より正確には７４．２５００００００＊５９．９４００５９９４／６０．００００００００ＭＨｚである。本来６０／２Ｈｚのフレーム周波数を有する映像信号を５９．９４／２ＭＨｚで表示する場合には１００００フレームに１回程度映像信号のフレームをスキップする必要があるが、通常、ＭＰＥＧ２の映像信号と音声信号の同期をとるためにフレームスキップの機能が必要であり７４．２５ＭＨｚ系の映像信号をＭＰＥＧ２処理している場合には容易に実現できる。
【０００５】
画素クロックの異なる２系統の映像信号系のフレーム周波数を完全にフレーム同期させるには、ひとつのクロック発生器からフレーム毎にクロックの位相まで一致するように２系統のクロック、ここでは１３．５ＭＨｚと７４．１７ＭＨｚを発生する必要があり、そのような仕様のクロック発生器を用いることにより２系統の画素クロック１３．５ＭＨｚと７４．１７ＭＨｚを発生する。通常、１３．５ＭＨｚクロックは２７ＭＨｚクロックを２分周して用いるので、クロック発生も２７ＭＨｚである場合が多い。以下の説明でも１３．５ＭＨｚあるいは２７ＭＨｚは、代表して２７ＭＨｚと表現する。このようにして発生した２７ＭＨｚ系映像信号のクロック２７ＭＨｚと７４ＭＨｚ系映像信号のクロック７４．１７ＭＨｚは、正確に２／５９．９４秒ごと、すなわち１フレーム毎に全く同じ位相関係を繰り返す。以下の説明では、７４．２５ＭＨｚ、７４．１７ＭＨｚを代表して７４ＭＨｚと表現する。
【０００６】
第６図は、従来の技術を示したブロック図である。クロック発生５４は、元となる２７ＭＨｚクロックを端子６３から入力し、５９．９４Ｈｚ周期で同じ位相関係となる７４．１７ＭＨｚと２７ＭＨｚのクロックを端子６０、６１にそれぞれ発生する。７４．１７ＭＨｚクロックは７４ＭＨｚ系映像信号処理器５２へ、２７ＭＨｚクロックは２７ＭＨｚ系映像信号処理器５３へそれぞれ入力される。
２７ＭＨｚ系映像信号処理器５３内部ではフレーム同期信号が生成され信号線５６から映像信号源５１に入力され、映像信号源５１では入力されたフレーム同期信号を基準として映像信号を発生し信号線５５、５７からそれぞれの７４ＭＨｚ系映像信号、２７ＭＨｚ系映像信号を出力する。すなわち、信号線５６のフレーム同期信号がこのシステム全体のフレーム同期の基準となる。２７ＭＨｚ系映像信号処理器５３からは信号線５８によって７４ＭＨｚ系映像信号処理器５２に、７４ＭＨｚ系映像信号のフレーム同期信号を２７ＭＨｚ系映像信号のフレーム同期信号に同期させるための信号が出力される。この信号５８によって、７４ＭＨｚ系映像信号処理器５２のフレーム同期は２７ＭＨｚ系映像信号処理器５３のフレーム同期に同期する。この信号線５８によるフレーム信号は２７ＭＨｚ系映像信号処理器５３内部のクロック、この例では２７ＭＨｚで７４ＭＨｚ系映像信号処理器５２に渡される。
【０００７】
このように、映像信号を扱う場合、７４．２５ＭＨｚを画素周波数とする７４ＭＨｚ系映像信号と２７ＭＨｚあるいは１３．５ＭＨｚを画素周波数とする２７ＭＨｚ系映像信号からなる２つの映像信号を扱う必要が生じる場合でも、完全にフレーム周波数を合わせて処理することが可能である。
【０００８】
【特許文献１】
特開平１０−１０８０９４号公報
【特許文献２】
特開平１１−３３１６３８号公報
【特許文献３】
特開平１１−９８３８１号公報
【０００９】
【発明が解決しようとする課題】
しかしながら、このような方法で７４ＭＨｚ系の映像信号と２７ＭＨｚの映像信号のフレーム周波数を完全に同期させた場合でも、フレーム毎の同期、すなわちフレーム同期をとる必要がある。フレーム同期をとらない場合には、７４ＭＨｚ系の映像信号と２７ＭＨｚ系の映像信号のあいだでフレーム間の位相差が起こり、例えば７４ＭＨｚ系の映像信号のフレームが２７ＭＨｚ系の映像信号のフレームの途中で切り替わるような位相関係のまま信号処理を行うことになり、フレーム周波数を同期させたことによって信号処理の簡素化を図れない。
【００１０】
そこで、フレーム毎の同期をとる必要がありフレーム毎に一方すなわちマスター側の同期信号で他方すなわちスレーブ側の同期信号をリセットする必要がある。この場合、双方の同期信号はそれぞれ７４．１７ＭＨｚと２７ＭＨｚに同期した信号であり、両クロックの位相関係によってはフレーム毎にリセットが１クロックジッタするという現象が起こり得る。
【００１１】
第７図は、第６図で示したシステムを用いたフレーム同期信号の関係を示したタイミング図である。２７ＭＨｚ系映像信号のフレーム同期信号は５９．９４／２Ｈｚ周期で発生する。７４ＭＨｚ系映像信号のフレーム同期信号も同じく５９．９４／２Ｈｚ周期で発生するが、この両系統のフレーム同期信号を同期させるには一方すなわちマスター側から他方すなわちスレーブ側へフレーム毎にフレーム同期信号を出力して、フレーム同期信号を受け取った側は受け取ったフレーム同期信号に基づいて内部のフレーム同期信号をリセットする。このような操作によって２系統の映像信号のフレーム同期信号は同期する。
【００１２】
第８図は、２７ＭＨｚ系映像信号の信号処理系をマスター側とし、７４ＭＨｚ系映像信号の信号処理系をスレーブ側として、２７ＭＨｚ系映像信号すなわちマスター側のフレーム同期信号で７４ＭＨｚ系映像信号すなわちスレーブ側のフレーム同期信号をリセットする場合のタイミング図である。２７ＭＨｚ系映像信号のフレーム同期信号は２７ＭＨｚのクロックに同期している。この２７ＭＨｚ系映像信号のフレーム同期信号は、７４ＭＨｚ系映像信号のクロック７４ＭＨｚでサンプリングされたのち７４ＭＨｚ系映像信号のフレーム同期信号をリセットする。すなわち、７４ＭＨｚ系映像信号のクロックに対して、２７ＭＨｚ系映像信号の同期信号が充分はセットアップタイムが確保されていれば安定して動作する。２１で示したタイミングにおいて、２７ＭＨｚ系映像信号の同期信号は、７４ＭＨｚ系映像信号のクロックに対して充分なセットアップタイムが取れている。
【００１３】
第９図は、第８図に対して次ぎのフレーム同期信号が発生するタイミングを示したタイミング図である。映像信号のクロックの位相関係はフレーム毎に同一位相となるので、第９図での２７ＭＨｚ系映像信号のクロック２７ＭＨｚと７４ＭＨｚ系映像信号のクロック７４ＭＨｚの位相関係は同一である。よって、第９図のタイミングにおいても２７ＭＨｚ系映像信号のフレーム同期信号は７４ＭＨｚ系映像信号のクロックに対して充分なセットアップタイムが確保されており、第８図と同じタイミングで７４ＭＨｚ系映像信号のフレーム同期信号を発生する。
【００１４】
第１０図、第１１図は、第８図、第９図に対して、２７ＭＨｚ系映像信号のフレーム同期の立ちあがり付近のタイミングで、２７ＭＨｚ系映像信号のクロックの立ちあがりと７４ＭＨｚ系映像信号のクロックの立ちあがりが接近していて、２７ＭＨｚ系映像信号のフレーム同期信号が７４ＭＨｚ系映像信号のクロックに対して充分なホールドタイムが確保できていない場合を示すタイミング図である。第１１図は、第１０図とは別の時点でのフレーム同期信号付近のタイミングを示すタイミング図である。
【００１５】
第１０図では、タイミング２３の時点で７４ＭＨｚ系映像信号のクロックが２７ＭＨｚ系映像信号のフレーム同期を捕らえてその直後に７４ＭＨｚ系映像信号のフレーム同期信号を生成している。一方、第１１図では、タイミング２４の時点で７４ＭＨｚ系映像信号のクロックが２７ＭＨｚ系映像信号のフレーム同期を捕らえることができず、タイミング２４から１クロック遅れてフレーム同期信号を生成している。このように、２７ＭＨｚ系映像信号のフレーム同期信号の立ちあがりが７４ＭＨｚ系映像信号のクロックに対して充分なホールドタイムが確保できない場合には、７４ＭＨｚ系映像信号のフレーム同期信号がフレーム毎に１クロック幅の揺れをもち、このフレーム同期を基準としている回路は安定した回路動作が期待できないという課題がある。
【００１６】
【課題を解決するための手段】
この課題を解決するために本発明の２系統映像信号の同期方法では、２系統の映像信号のフレーム同期信号の同期が外れている場合に限り、マスタ側の映像信号のフレーム同期信号によって、スレーブ側の映像信号のフレーム同期信号をリセットするようスレーブ側のフレーム同期信号付近ではフレーム同期信号にリセットがかからないようマスク処理を施す。
【００１７】
【発明の実施の形態】
（実施の形態１）
以下、本発明の実施の形態１を図面を用いて説明する。第１図は本発明の実施の形態１を説明するためのタイミング図である。第１図のタイミング図は、２７ＭＨｚ系映像信号の信号処理系をマスター側とし、７４ＭＨｚ系映像信号の信号処理系をスレーブ側として、２７ＭＨｚ系映像信号すなわちマスター側のフレーム同期信号で７４ＭＨｚ系映像信号すなわちスレーブ側のフレーム同期信号をリセットする２系統映像信号の処理系におけるタイミング図であるので、まず第６図を用いて２系統映像信号の処理系を説明した後、第１図を用いて本発明の２系統映像信号の同期方法を説明する。なお、以下の説明においては、１３．５ＭＨｚあるいは２７ＭＨｚは代表して２７ＭＨｚと表現し、７４．２５ＭＨｚあるいは７４．１７ＭＨｚは代表して７４ＭＨｚと表現する。
【００１８】
第６図は、２７ＭＨｚ系映像信号の信号処理系をマスター側とし、７４ＭＨｚ系映像信号の信号処理系をスレーブ側として、２７ＭＨｚ系映像信号すなわちマスター側のフレーム同期信号で７４ＭＨｚ系映像信号すなわちスレーブ側のフレーム同期信号をリセットする２系統映像信号の処理系を示したブロック図である。クロック発生５４は、元となる２７ＭＨｚクロックを端子６３から入力し、５９．９４／２Ｈｚ周期で同じ位相関係となる７４．１７ＭＨｚと２７ＭＨｚのクロックを端子６０、６１にそれぞれ発生する。７４．１７ＭＨｚクロックは７４ＭＨｚ系映像信号処理器５２へ、２７ＭＨｚクロックは２７ＭＨｚ系映像信号処理器５３へそれぞれ入力される。２７ＭＨｚ系映像信号処理器５３内部ではフレーム同期信号が生成され信号線５６から映像信号源５１に入力され、映像信号源５１では入力されたフレーム同期信号を基準として映像信号を発生し信号線５５、５７からそれぞれの７４ＭＨｚ系映像信号、２７ＭＨｚ系映像信号を出力する。すなわち、信号線５６のフレーム同期信号がこのシステム全体のフレーム同期の基準となる。２７ＭＨｚ系映像信号処理器５３からは信号線５８によって７４ＭＨｚ系映像信号処理器５２に、７４ＭＨｚ系映像信号のフレーム同期信号を２７ＭＨｚ系映像信号のフレーム同期信号に同期させるための信号が出力される。
この信号５８によって、７４ＭＨｚ系映像信号処理器５２のフレーム同期は２７ＭＨｚ系映像信号処理器５３のフレーム同期に同期する。この信号線５８によるフレーム信号は２７ＭＨｚ系映像信号処理器５３内部のクロック、この例では２７ＭＨｚで７４ＭＨｚ系映像信号処理器５２に渡される。
【００１９】
第１図は本発明の実施の形態１を説明するためのタイミング図である。第１図では２７ＭＨｚ系映像信号がマスター、７４ＭＨｚ系映像信号がスレーブとなり、７４ＭＨｚ系映像信号のフレーム同期信号を２７ＭＨｚ系映像信号のフレーム同期信号に同期させる関係を示している。１は２７ＭＨｚ系の映像信号のフレーム同期信号を表し、２は７４ＭＨｚ系のフレーム同期信号を表す。２７ＭＨｚ系の映像信号と７４ＭＨｚ系の映像信号は４で示した期間ではフレーム同期しているが、５で示した期間では２７ＭＨｚ系映像信号の状態が変化し７４ＭＨｚ系映像信号のフレーム同期が２７ＭＨｚ系映像信号のフレーム同期から外れている状態となっている。その後、７で示した時点で２７ＭＨｚ系映像信号のフレーム同期信号が安定して出力されるようになると、７４ＭＨｚ系映像信号のフレーム同期信号を強制的に２７ＭＨｚ系映像信号のフレーム信号によってリセットすることにより、７４ＭＨｚ系映像信号は直ちに２７ＭＨｚ系映像信号に対してフレーム同期する。フレーム同期した６で示した期間は７４ＭＨｚ系映像信号は２７ＭＨｚ系映像信号に対してフレーム同期したまま推移する。しかしながら、８で示した時点以降は７４ＭＨｚ系映像信号から生成されたマスク信号３によって、２７ＭＨｚ系映像信号からのフレーム同期信号によって７４ＭＨｚ系映像信号のフレーム同期信号がリセットされることはない。７４ＭＨｚ系映像信号のフレーム同期信号が２７ＭＨｚ系フレーム同期信号によって再び強制的にリセットされるのは、５で示した期間のように２７ＭＨｚ系映像信号と７４ＭＨｚ系映像信号のフレーム同期が外れた場合である。
【００２０】
３で示したマスク信号は７４ＭＨｚ系映像信号のフレーム同期信号を基準として生成する。第１のフレーム同期信号から次ぎの第２のフレーム同期信号までの画素クロックをカウントし、第２のフレーム同期信号の手前でマスク信号をアクティブとし、第２のフレーム同期信号の直後でマスク信号をインアクティブとする操作によってマスク信号を生成する。例えば、図１の７で示したタイミングのフレーム同期信号から８で示したタイミングのマスク信号を生成する。
【００２１】
よって、２７ＭＨｚ系映像信号のフレーム同期信号と７４ＭＨｚ系映像信号のフレーム同期が同期している状態では７４ＭＨｚ系映像信号のフレーム同期信号が２７ＭＨｚ系映像信号のフレーム同期信号によって強制的にリセットされることはない。一方、２７ＭＨｚ系映像信号のフレーム同期信号と７４ＭＨｚ系映像信号のフレーム同期同期が同期していない状態では７４ＭＨｚ系映像信号のフレーム同期信号は２７ＭＨｚ系映像信号のフレーム同期信号によって強制的にリセットされその瞬間から７４ＭＨｚ系映像信号のフレーム同期信号は２７ＭＨｚ系映像信号のフレーム同期信号に同期した状態となる。すなわち、スレーブである７４ＭＨｚ系映像信号が、マスターである２７ＭＨｚ系映像信号にフレーム同期した状態となる。
【００２２】
第２図、第４図は、第１図の７で示したタイミングの詳細タイミング図である。第３図、第５図は、第１図の８で示したタイミングの詳細タイミング図である。７４ＭＨｚ系映像信号のフレーム同期信号が２７ＭＨｚ系映像信号のフレーム同期信号に同期していない状態から、初めて７４ＭＨｚ系映像信号のフレーム同期信号を２７ＭＨｚ系映像信号のフレーム同期信号によって同期させる際に、７４ＭＨｚ系映像信号のフレーム同期信号は２７ＭＨｚ系映像信号のフレーム同期信によって第２図に示すタイミングで強制的にリセットされる。第２図に示すタイミングは、第１図のタイミング７に相当する。
【００２３】
第３図は、７４ＭＨｚ系映像信号のフレーム同期信号が２７ＭＨｚ系映像信号のフレーム同期信号に同期している状態を示すタイミング図である。第３図に示すタイミングは、第１図のタイミング８に相当する。第２図で示すタイミングで２７ＭＨｚ系映像信号のフレーム同期信号によって強制的にリセットされた７４ＭＨｚ系映像信号のフレーム同期信号は、第３図に示すように、７４ＭＨｚ系映像信号のフレーム同期信号の立ちあがりタイミング４２に対し、前後１クロック期間タイミング４１、４３はマスク信号によって７４ＭＨｚ系映像信号のフレーム同期信号は強制的にリセットされることはない。すなわち、７４ＭＨｚ系映像信号のフレーム同期信号が２７ＭＨｚ系映像信号のフレーム同期信号によって第２図で示したような位相関係で一旦リセットされた後は、２７ＭＨｚ系映像信号のフレーム同期信号が不連続とならないすなわち５９．９４／２Ｈｚ周期で安定して発生している限りは、７４ＭＨｚ系映像信号のフレーム同期信号は２７ＭＨｚ系映像信号のフレーム同期信号に対して第３図で示した位相関係で安定したままである。
【００２４】
第４図は、第２図の詳細タイミング図に対して、別のタイミングで７４ＭＨｚ系映像信号のフレーム同期信号が２７ＭＨｚ系映像信号のフレーム同期信号でリセットされた状態を示した詳細タイミング図である。第４図に示すタイミングは、第１図のタイミング７に相当する。第２図および第４図のタイミング４２での７４ＭＨｚクロックの立ちあがりは２７ＭＨｚ系映像信号のフレーム同期信号の立ちあがりとほぼ同時である。このようなタイミング関係では、７４ＭＨｚ系映像信号のフレーム同期信号が２７ＭＨｚ系映像信号のフレーム同期信号に同期していない状態から、初めて７４ＭＨｚ系映像信号のフレーム同期信号を２７ＭＨｚ系映像信号のフレーム同期信号によって同期させる際に、第４図に示すように、７４ＭＨｚ系映像信号のフレーム同期信号がタイミング４３で立ちあがるよう２７ＭＨｚ系映像信号のフレーム同期信号によってリセットされてしまう場合がありうる。これは、２７ＭＨｚ系映像信号のフレーム同期信号の立ちあがりが、７４ＭＨｚ系映像信号のクロック７４ＭＨｚに対して、タイミング４２でホールドタイムを確保できないためである。
【００２５】
しかしながら、第１図のタイミング７に相当するタイミングで、７４ＭＨｚ系映像信号のフレーム同期信号が２７ＭＨｚ系映像信号のフレーム同期信号でリセットされた際の信号の位相関係が第４図で示したような場合でも、第５図で詳細タイミングを示した第１図のタイミング８に相当するタイミング以降では第５図のタイミング４２でアクティブとなるマスク信号によって、７４ＭＨｚ系映像信号のフレーム同期信号が２７ＭＨｚ系映像信号のフレーム同期信号によって強制リセットされることなく、７４ＭＨｚ系映像信号のフレーム同期信号は２７ＭＨｚ系映像信号のフレーム同期信号に対して第５図で示した位相関係で安定したままである。
【００２６】
第２図、第３図と第４図、第５図に示したようなフレーム同期信号の位相関係は、２系統の映像信号のフレーム同期信号が同期していない状態から、最初にマスター側のフレーム同期信号がスレーブ側のフレーム同期信号をリセットする際にどちらかの位相関係になり、その後はマスター側スレーブ側どちらかのフレーム同期信号がフレーム周期、この例では５９．９４／２Ｈｚから外れない限りはその位相関係を維持したままとなる。
【００２７】
このように２７ＭＨｚ系映像信号のフレーム同期信号が７４ＭＨｚ系映像信号のクロックに対して位相が充分なホールドタイムが確保できないような位相関係においても、一旦確定した２系統の映像信号間のフレーム同期は安定したままである。また、マスターとなる映像信号、本実施例で示した例では２７ＭＨｚ系映像信号のフレーム同期信号が不連続となったばあいでも連続した安定状態にもどれば直ちに７４ＭＨｚ系映像信号のフレーム同期信号を強制リセットし７４ＭＨｚ系映像信号のフレーム同期信号は２７ＭＨｚ系映像信号に同期した状態となる。
【００２８】
第６図は、第１図、第３図、第５図を用いて説明したマスク信号を発生する回路を示したブロック図であり、第７図は第６図の動作を示すタイミング図である。第６図を用いて信号の流れを、第７図を用いてタイミングを説明する。
【００２９】
マスターである２７ＭＨｚ系映像信号のフレーム同期信号から生成されたリセット信号は、端子１５から入力され、マスク信号発生器１３で生成されたマスク信号が信号線１７と、アンドゲート１４によってゲートされ、マスク信号がアクティブの時のみ信号線１６に出力される。リセット信号を受け取ったカウンタ１１はスレーブである７４ＭＨｚ系映像信号のクロック７４ＭＨｚをカウントする。カウンタ１１のカウント値は、第７図のカウント値で示すようにリセット信号が入力された直後に０となり、その後１クロック毎に１ずつ値が増加する。カウント値は信号線１８によってフレーム同期発生器１２とマスク信号発生器１３に入力される。フレーム同期発生器１３内部ではカウント値が０の時のみアクティブとなるような回路によって信号線１９から第７図で示したようなフレーム同期信号を発生する。この例ではカウント値が０の時にアクティブとなるようなフレーム同期信号を発生しているが、フレーム同期を発生するタイミングはカウント値０に限るものではなく、他のカウント値の時にアクティブとなるフレーム同期信号でも良い。マスク信号発生器１３では、入力されたカウント値に基づき、カウント値０、ｎ、（ｎ−１）のときにアクティブとなる回路によって、第７図で示すようなマスク信号を発生し、信号線１７に出力する。このマスク信号のタイミングは、リセット信号に対して＋−１クロック以上の幅を持つ。すなわち、この例では、リセット信号の入力されるタイミング、カウント値ｎ、に対して、カウント値（ｎ−１）、０でもマスク信号がアクティブになっている。
【００３０】
以上で説明したように、本発明の２系統映像信号の同期方法によって、２系統のフレーム同期を安定して同期させることが可能となる。
【００３１】
以上の説明では、２７ＭＨｚ系映像信号をマスターとし７４ＭＨｚ系映像信号をスレーブとして、２７ＭＨｚ系映像信号のフレーム同期信号で７４ＭＨｚ系映像信号のフレーム同期信号をリセットする構成としたが、７４ＭＨｚ系映像信号をマスターとし２７ＭＨｚ系映像信号をスレーブとして、７４ＭＨｚ系映像信号のフレーム同期信号で２７ＭＨｚ系映像信号のフレーム同期信号をリセットする構成でも、２７ＭＨｚ系映像信号のフレーム同期信号付近で７４ＭＨｚ系映像信号のフレーム同期信号によってリセットがかからないようマスクすることによって、同様に２系統のフレーム同期を安定して同期させることが可能となる。
【００３２】
【発明の効果】
本発明は、２系統の映像信号のフレーム同期を取ろうとする際、スレーブ側でマスター側からのリセット信号をマスクすることにより、安定したフレーム同期を得られる。
【図面の簡単な説明】
【図１】本発明の実施の形態１の動作を示すタイミング図
【図２】本発明の実施の形態１の動作を示す詳細タイミング図
【図３】本発明の実施の形態１の動作を示す詳細タイミング図
【図４】本発明の実施の形態１の動作を示す詳細タイミング図
【図５】本発明の実施の形態１の動作を示す詳細タイミング図
【図６】本発明の実施の形態１の構成を示すブロック図
【図７】本発明の実施の形態１の構成ブロック図の動作を示すタイミング図
【図８】従来例および本発明の実施の形態１のシステム構成を示すブロック図
【図９】従来例の動作を示すタイミング図
【図１０】従来例の動作を示す詳細タイミング図
【図１１】従来例の動作を示す詳細タイミング図
【図１２】従来例の動作を示す詳細タイミング図
【図１３】従来例の動作を示す詳細タイミング図
【符号の説明】
１  ２７ＭＨｚ系の映像信号のフレーム同期信号
２  ７４ＭＨｚ系のフレーム同期信号
３  マスク信号
【図１】
2004304217.tif 000003
【図２】
2004304217.tif 000004
【図３】
2004304217.tif 000005
【図４】
2004304217.tif 000006
【図５】
2004304217.tif 000007
【図６】
2004304217.tif 000008
【図７】
2004304217.tif 000009
【図８】
2004304217.tif 000010
【図９】
2004304217.tif 000011
【図１０】
2004304217.tif 000012
【図１１】
2004304217.tif 000013
【図１２】
2004304217.tif 000014
【図１３】
2004304217.tif 000015